(57)【要約】【課題】電子機器本体を加工することなく、コードを収納する構造を提供することを目的とする。【解決手段】携帯式電源は、電源コネクタ５を一端に備える携帯式電源本体１００と、電子機器に接続するプラブ１１１及びコード１１２を収納すると共に、携帯式電源本体１００の電源コネクタ５に着脱自在に接続するプラグ１１３を備えるプラグ１１３及びコード１１２の収納アタッチメント１１０とを備える携帯式電源であって、収納アタッチメント１１０の外周にコード１１２を収納する溝１１４を備えることを特徴とする【選択図】図１
2014212678.tif 000002
【特許請求の範囲】
【請求項１】
電源コネクタを一端に備える携帯式電源本体と、電子機器に接続するプラブ及びコード
を収納すると共に、携帯式電源本体の電源コネクタに着脱自在に接続するプラグを備えるプラグ及びコードの収納アタッチメントとを備える携帯式電源であって、
前記収納アタッチメントの外周に前記コードを収納する溝を備えることを特徴とする携帯式電源。
【請求項２】
前記携帯式電源に前記収納アタッチメントを装着した状態で、前記携帯式電源本体の外周形状と、前記収納式アタッチメントの外周形状が同一である請求項１の携帯式電源。
【請求項３】
前記収納アタッチメントの外周に前記コードを収納する前記溝が、螺旋状に形成されている請求項１の携帯式電源。
【請求項４】
前記コードの始まり部分と、前記コード先の前記プラグとが、上下方向において、重なるようにしている請求項３の携帯式電源。
【請求項５】
前記収納アタッチメントにおいて、前記コード先の前記プラグを収納する収納凹部を備える請求項１の携帯式電源。
【請求項６】
前記プラグを前記収納凹所に挿脱するときに、使用者が利用するプラグ摘み部を有している請求項１の携帯式電源。
【請求項７】
前記電源コネクタを前記一端に複数個備え、前記収納アタッチメントを装着したとき、該収納アタッチメントが接続される前記電源コネクタとは異なる少なくともひとつの前記電源コネクタにプラグが装着できるよう連通部を備える請求項１の携帯式電源。
【請求項８】
前記プラグ及び前記コードを収納したとき、前記プラグ摘み部が、前記連通部に位置する請求項６の携帯式電源。
【請求項９】
前記プラグ摘み部に段部を有している請求項５の携帯式電源。
【請求項１０】
樹脂材料からなるプラグ摘み部は、成形時に内部のコードを位置決めするピンを抜いた穴を、プラグ摘み部の外部に位置する、プラグ摘み部の挿入方向を示す印内に有している請求項６の携帯式電源。
【請求項１１】
前記プラグ摘み部がコードブッシュである請求項６の携帯式電源。
【請求項１２】
前記プラグ摘み部の延在方向と、前記プラグの延在方向とが成す角度が、直角より小さい角度である請求項６の携帯式電源。
【発明の詳細な説明】
【技術分野】
【０００１】
本発明は、携帯式電源に関する。
【背景技術】
【０００２】
電源コネクタを備える携帯式電源が、下記特許文献１に、開示されている。この携帯式電源は、別途用意されるコードを、電源コネクタに接続することにより、外部の電子機器に接続されて、電子機器の電池を充電する。
【０００３】
また、特許文献２には、二次電池が着脱自在に装着される電池収納部を備えた筐体と、この筐体から導出された電源コードの先端に装着されたコネクタ、例えばＵＳＢコネクタと、前記筐体の内部に組み込まれて前記ＵＳＢコネクタを介して給電される電力により前記電池収納部に装着された二次電池を充電する充電電源とを具備し、特に前記筐体の外周壁に、該外周壁に沿って前記電源コードが巻装される樋状のコード収納部を設けると共に、前記ＵＳＢコネクタを着脱自在に保持するコネクタ保持部を設けた充電器が開示されている。
【先行技術文献】
【特許文献】
【０００４】
【特許文献１】特開2009-131089
【特許文献２】特開2008-067435
【発明の概要】
【発明が解決しようとする課題】
【０００５】
特許文献２のように、コードを収納するために、充電器である本体筐体に外周溝（樋状のコード収納部）を設ける必要があり、充電器本体への加工が必要となる。
【０００６】
本発明は、このような問題を解決するために成されたものであり、電子機器本体を加工することなく、コードを収納する構造を提供することを目的とする。
【課題を解決するための手段】
【０００７】
本発明においては、電源コネクタを一端に備える携帯式電源本体と、電子機器に接続するプラブ及びコードを収納すると共に、携帯式電源本体の電源コネクタに着脱自在に接続するプラグを備えるプラグ及びコードの収納アタッチメントとを備える携帯式電源であって、前記収納アタッチメントの外周に前記コードを収納する溝を備えることを特徴とする。
【０００８】
また、前記携帯式電源に前記収納アタッチメントを装着した状態で、前記携帯式電源本体の外周形状と、前記収納式アタッチメントの外周形状が同一である。
【０００９】
前記収納アタッチメントの外周に前記コードを収納する前記溝が、螺旋状に形成されている。
【００１０】
前記コードの始まり部分と、前記コード先の前記プラグとが、上下方向において、重なるようにしている。
【００１１】
前記収納アタッチメントにおいて、前記コード先の前記プラグを収納する収納凹部を備える。
【００１２】
前記プラグを前記収納凹所に挿脱するときに、使用者が利用するプラグ摘み部を有している。
【００１３】
前記電源コネクタを前記一端に複数個備え、前記収納アタッチメントを装着したとき、該収納アタッチメントが接続される前記電源コネクタとは異なる少なくともひとつの前記電源コネクタにプラグが装着できるよう連通部を備える。
【００１４】
前記プラグ及び前記コードを収納したとき、前記プラグ摘み部が、前記連通部に位置する。
【００１５】
前記プラグ摘み部に段部を有している。樹脂材料からなるプラグ摘み部は、成形時に内部のコードを位置決めするピンを抜いた穴を、プラグ摘み部の外部に位置する、プラグ摘み部の挿入方向を示す印内に有している。
前記プラグ摘み部がコードブッシュである。
前記プラグ摘み部の延在方向と、前記プラグの延在方向とが成す角度が、直角より小さい角度である。
【発明の効果】
【００１６】
本発明においては、電源コネクタを一端に備える携帯式電源本体と、電子機器に接続するプラブ及びコードを収納すると共に、携帯式電源本体の電源コネクタに着脱自在に接続するプラグを備えるプラグ及びコードの収納アタッチメントとを備える携帯式電源であって、前記収納アタッチメントの外周に前記コードを収納する溝を備えている。よって、収納アタッチメントにプラグ及びコードを収納することができるので、従来のように、本体に収納する必要がなく、構造が簡便である。携帯式電源本体でなく、収納アタッチメントにコードを収納するので、携帯式電源本体の構造が複雑となることはない。携帯式電源本体に収納アタッチメントを装着した状態で持ち運べることができるので、携帯性が良好である。
また、前記携帯式電源に前記収納アタッチメントを装着した状態で、前記携帯式電源本体の外周形状と、前記収納式アタッチメントの外周形状が同一である。よって、携帯性が良好であると共に、一体感があり、デザイン性が良好である。
【００１７】
前記収納アタッチメントの外周に前記コードを収納する前記溝が、螺旋状に形成されている。よって、収納されるコードを長くすることができ、長いコードにより利便性が増す。
【００１８】
前記コードの始まり部分と、前記コード先の前記プラグとが、上下方向において、重なるようにしている。よって、溝を、螺旋状とすることができる。
【００１９】
前記収納アタッチメントにおいて、前記コード先の前記プラグを収納する収納凹部を備える。よって、収納凹部に、コード先のプラグを収納するので、使い勝手が良い。
【００２０】
前記プラグを前記収納凹所に挿脱するときに、使用者が利用するプラグ摘み部を有している。よって、プラグ摘み部を使用者が指で摘むことができるので、使用者が利便性良く利用することができる。
【００２１】
前記電源コネクタを前記一端に複数個備え、前記収納アタッチメントを装着したとき、該収納アタッチメントが接続される前記電源コネクタとは異なる少なくともひとつの前記電源コネクタにプラグが装着できるよう連通部を備える。よって、少なくともひとつの前記電源コネクタが連通部より露出するので、別途用意されるプラグ及びコードを使用して
、前記電源コネクタより、電力を取り出すことができる。
【００２２】
前記プラグ及び前記コードを収納したとき、前記プラグ摘み部が、前記連通部に位置する。また、使用者がプラグ摘み部の上面、下面を指で摘んで、容易に、取り出すことができる。
【００２３】
前記プラグ摘み部に段部を有している。段部に、使用者が指先をかけて、摘み部及びプラグを引き出すことができる。
【００２４】
樹脂材料からなるプラグ摘み部は、成形時に内部のコードを位置決めするピンを抜いた穴を、プラグ摘み部の外部に位置する、プラグ摘み部の挿入方向を示す印内に有している。
プラグ摘み部がコードブッシュであるので、使用者がこの部分を摘んで、プラグを前記収納凹所に挿脱するなら、収納凹部の穴（凹部）の方向と、プラグの方向にずれが生じ始める場合でも、コードブッシュであるので弾力性があるので、ずれが生じないように働くので、プラグとプラグ摘み部との連結が損傷することが少ない。
ずれるなら、収納凹部とプラグとの間に、
一方、プラグ摘み部がプラグと一体成型されて固定されている構造であるなら、プラグを前記収納凹所に挿脱するなら、収納凹部の穴（凹部）の方向と、プラグの方向がずれるなら、使用者等により、力を強めて挿脱（特に、プラグ摘み部を引っ張って、抜くとき）されることになるので、プラグとプラグ摘み部との連結が損傷することがある。
また、プラグ摘み部の延在方向と、前記プラグの延在方向とが成す角度が、直角より小さい角度であるので、電子機器に接続するとき、電子機器側のプラグ穴のカバー、プラグ穴周辺の構造体が邪魔になることが少なく、適切に、プラグを電子機器側のプラグ穴に挿入することができる。仮に上記成す角度が直角であるなら、プラグを電子機器側のプラグ穴を覆うカバーが電子機器に連結されたままで、プラグが挿入されることになり、プラグ摘み部とカバー（或いは、電子機器側のプラグ穴周辺の構造体）と接触する等して、適切に、プラグを電子機器側のプラグ穴に挿入することが困難になる。
【図面の簡単な説明】
【００２５】
【図１】本発明の一実施例にかかる収納アタッチメントと携帯式電源本体の斜視図である。
【図２】本発明の一実施例にかかる電源コネクタを備える携帯式電源本体の斜視図である。
【図３】図２に示す携帯式電源本体を下側から見た背面斜視図である。
【図４】本発明の一実施例にかかる収納アタッチメントの正面側斜視図である。
【図５】本発明の一実施例にかかる収納アタッチメントの背面側斜視図である。
【図６】本発明の一実施例にかかる収納アタッチメントの下側斜視図である。
【図７】本発明の一実施例にかかる収納アタッチメントの上部を透かした状態での平面図である。
【図８】本発明の一実施例にかかる収納アタッチメントの裏側から見た平面図である。
【図９】本発明の一実施例にかかる収納アタッチメントと携帯式電源本体において連通部において電源コネクタを配置されていることを示す斜視図である。
【図１０】本発明の一実施例にかかる収納アタッチメントの上部を透かした状態での平面図で、穴及び印を示す図である。
【図１１】本発明の他の実施例にかかわる収納アタッチメントと携帯式電源本体の斜視図である。
【図１２】本発明の他の実施例にかかわる電源コネクタを備える携帯式電源本体の斜視図である。
【図１３】図１２に示す携帯式電源本体を下側から見た背面斜視図である。
【図１４】本発明の他の実施例にかかわる収納アタッチメントの正面側斜視図である。
【図１５】本発明の他の実施例にかかわる収納アタッチメントの背面側斜視図である。
【図１６】本発明の他の実施例にかかわる収納アタッチメントの下側斜視図である。
【図１７】本発明の他の実施例にかかわる収納アタッチメントの収納凹部を示す斜視図である。
【図１８】収納アタッチメントの上部を透かした状態での平面図である。
【図１９】内部構造を示す斜視図である。
【図２０】他の内部構造を示す斜視図である。
【図２１】本発明の第３実施例にかかわる収納アタッチメントの斜視図である。
【図２２】本発明の第３実施例にかかわる収納アタッチメントのコード部分を示す斜視図である。
【図２３】本発明の第４実施例にかかわる収納アタッチメントの６面図と、右上に位置する図は、一部を切り欠いた上面図である。
【図２４】本発明の第４実施例にかかわる収納アタッチメントの斜視図である。
【図２５】本発明の第４実施例にかかわる収納アタッチメントのコネクタ、コードブッシュ部分を示す６面図、斜視図である。
【発明を実施するための形態】
【００２６】
図１〜３においては、  電源コネクタ５を一端に備える携帯式電源本体１００と、電子機器（図示せず）に接続するプラグ１１１及びコード１１２を収納すると共に、携帯式電源本体１００の電源コネクタ５に着脱自在に接続するプラグ１１３を備えるプラグ１１１及びコード１１２の収納アタッチメント１１０とを備える携帯式電源を示している。
【００２７】
携帯式電源本体１００において、ケース２は、第１ケース２Ａと第２ケース２Ｂからなり、平面形状を四角形として、その両側部分に一対の円筒形電池（図示せず）を収納している。したがって、ケース２の両側部分は、円筒形電池の表面に沿う湾曲面としている。第１ケース２Ａと第２ケース２Ｂは、四角形の平面プレート２０の周囲に、湾曲する側壁２１Ａと端面壁２１Ｂからなる周壁２１を一体的に成形して設けた形状で、プラスチックを成形して制作される。第１ケース２Ａと第２ケース２Ｂは、互いに周壁２１の開口端を連結して、内部を閉鎖する構造に連結される。図のケース２は、第１ケース２Ａと第２ケース２Ｂを止ネジ（図示せず）で連結して固定している。止ネジをねじ込んで連結するために、第２ケース２Ｂは、平面プレート２０の内面に突出して、止ネジ２５を挿通する挿入ボス２６を一体的に成形して設けて、第１ケース２Ａは、平面プレート２０の内面に突出するように、止ネジをねじこむ連結ボス（図示せず）を一体的に成形して設けている。互いに連結される第１ケース２Ａと第２ケース２Ｂの周壁２１は、開口端を超音波溶着し、あるいは接着し、あるいは係止構造として確実に連結できる。さらに、第２ケース２Ｂの表面には、ラベル１４を付着して止ネジを挿入する挿入凹部（図示せず）を外側から見えなくしている。
【００２８】
ケース２は、一方の端面壁２１Ｂに、２組のＵＳＢコネクタ５Ａを外部に表出させる２個のコネクタ窓２２を開口して、他方の端面壁２１Ｂには、ひとつのミニＵＳＢコネクタ５ｂのコネクタ窓２２と充電コネクタ７のコネクタ窓２３とを開口している。ミニＵＳＢコネクタ５ｂ、充電コネクタ７より、充電電力を供給し、内蔵される電池を充電することができる。さらに、第１ケース２Ａは、押しボタンスイッチ８を外部に表出するためのスイッチ窓２４を平面プレート２０に開口している。そして、押しボタンスイッチ８を押す
ことにより、電源コネクタ５より、電子機器に電力を出力することができる。
【００２９】
プラスチック材料からなる収納アタッチメント１１０の外周にコード１１２を収納する溝１１４を備えている。  収納アタッチメント１１０において、コード１１２先のプラグ１１１を収納する収納凹部１１５を備える。
【００３０】
プラグ１１１を収納凹所１１５に挿脱するときに、使用者が利用するプラグ摘み部１１６を有している。
【００３１】
図１に示すように、携帯式電源本体１００に収納アタッチメント１１０を装着した状態で、携帯式電源本体１００の外周形状と、前記収納式アタッチメントの外周形状が同一となる構造としている。これにより、携帯式電源本体１００に収納アタッチメント１１０を装着した状態で持ち運べることができるので、携帯性が良好であると共に、一体感があり、デザイン性が良好である。
【００３２】
電源コネクタ５を一端に複数個備え（本実施例では、標準ＵＳＢコネクタ５ａを２つＵＳＢコネクタ５Ａとして利用している）、収納アタッチメント１１０を装着したとき、該収納アタッチメント１１０が接続される電源コネクタ５の標準ＵＳＢコネクタ５ａとは異なる少なくともひとつの電源コネクタ５の標準ＵＳＢコネクタ５ａにプラグが装着できるよう連通部１１７を備える。
【００３３】
これにより、図９に示すように、収納アタッチメント１１０を装着し、コード１１２を溝１１４に収納しない状態においては、ＵＳＢコネクタ５ａが連通部１１７より露出しており、別途用意されるプラグ及びコードを使用して、ＵＳＢコネクタ５ａより、電力を取り出すことができる。  そして、この連通部１１７に、プラグ１１１及びコード１１２を収納したとき、前記プラグ摘み部１１６が、連通部１１７に位置する。このような構造により、使用者がプラグ摘み部１１６の上面、下面を指で摘んで、容易に、取り出すことができる。
【００３４】
また、コード１１２の始まり部分１１２Ｂと、コード１１２先のプラグ１１１とが、上下方向において、重なるように、収納アタッチメント１１０の外周にコード１１２を収納する溝１１４が、螺旋状に形成されている。よって、収納されるコード１１２を長くすることができ、長いコードにより利便性が増す。
【００３５】
図１０は、収納アタッチメント１１０の上部を透かした状態での平面図である。
樹脂材料からなるプラグ摘み部１１６の内部においては、点線で示すコード１１２、プラグ１１１をインナーモールドしており、インナーモールド形成時において内部のコード１１２の位置決めをするのに、２本の円柱状のピンを挿入して位置決めした状態（移動しないようにした状態）でインナーモールド形成（成型）を行い、成形後、円柱ピンを抜いている。このため、完成後、プラグ摘み部１１６には、円形の穴１１８が残る。プラグ摘み部１１６を、収納アタッチメント１１０に装着した状態の図１０においては、一方の穴１１８が外部から見えるが、ここに、プラグ１１１及びプラグ摘み部１１６の挿入方向を示す印１１９（三角印１１９）（例えば、三角形の凹部とする、三角形の外郭直線部分を凸部とする等の加工を行う）とすることで、一方の穴１１８を外部より目立たなくできると共に、挿入方向を示す機能を持たすことができる。
【００３６】
図１１〜１３においては、他の実施例を示し、同等の構成においては、同じ符号を付し、説明を省略する。
【００３７】
携帯式電源本体１００において、ケース５２は、第１ケース５２Ａと第２ケース５２Ｂ
からなり、平面形状を四角形としている。ケース５２は、その片側部分に１本の円筒形電池（図示せず）を収納し、反対側の片側部分に回路基板（図示せず）と電源コネクタ５を収納している。ケース５２は、円筒形電池を収納する片側を、円筒形電池の表面に沿う湾曲面とし、反対側の片側を垂直面としている。第１ケース５２Ａと第２ケース５２Ｂは、四角形の平面プレート７０の周囲に、周壁７１を一体的に成形して設けた形状で、プラスチックを成形して制作される。ケース５２の周壁７１は、円筒形電池１の表面に沿って湾曲する湾曲壁７１Ｃと、垂直面である側壁７１Ａと、円筒形電池１の両端に位置する端面壁７１Ｂからなる。第１ケース５２Ａと第２ケース５２Ｂは、互いに周壁７１の開口端を連結して、内部を閉鎖する構造に連結される。
【００３８】
ケース５２は、両端の端面壁７１Ｂに、電源コネクタ５であるＵＳＢコネクタ５Ａを外部に表出させるコネクタ窓２２を開口している。ケース５２は、一方の端面壁７１Ｂに、標準ＵＳＢコネクタ５ａを外部に表出させるコネクタ窓２２を開口し、他方の端面壁７１Ｂには、ミニＵＳＢコネクタ５ｂを外部に表出させるコネクタ窓２２を開口している。ミニＵＳＢコネクタ５ｂより、充電電力を供給し、内蔵される電池を充電することができる。さらに、第１ケース５２Ａは、押しボタンスイッチ８を外部に表出するためのスイッチ窓２４を平面プレート７０に開口している。そして、押しボタンスイッチ８を押すことにより、電源コネクタ５より、電子機器に電力を出力することができる。
【００３９】
本他の実施例の摘み部１１６においては、段部１２１を設けている。これにより、  プラグ１１１及びコード１１２を収納したとき、段部１２１に、使用者が指先をかけて、摘み部１１６及びプラグ１１１を引き出すことができる。
【００４０】
以下の構造を採用すると、コストダウンを図ることができる。
図１９に示すように、比較例においては、ＵＳＢ等のプラグ１１３を回路基板１３１に固定し、コード１１２内の細線１１２Ｓと基板１３１とを半田接続している。コード１１２はブッシュ１３２を利用して、収納アタッチメント１１０内に固定される。
これに対し、図２０においは、インナーモールド１３３を利用することにより、プラグ１１３とコード１１２内の細線１１２Ｓを電気接続することができ、簡便な構造として、コストダウンを図ることができる。
次に、図１〜１０に開示される上述の第１実施例の変形例（第３実施例）を、図２１、２２に示す。上述の第１実施例と同じ構造については、同じ符号を付し、説明を省略する。変形した部分のみを、以下に説明する。この変形例においては、プラグ摘み部が、コードブッシュ１１６´となっている。コードブッシュ１１６´は、コード１１２を、凹凸状に樹脂材料が配置されるものである。プラグ摘み部がコードブッシュ１１６´であるので、使用者がこの部分を摘んで、プラグ１１１を前記収納凹所１１５に挿脱するなら、収納凹部１１５の穴（凹部）の方向と、プラグ１１１の方向にずれが生じ始める場合でも、コードブッシュ１１６´であるので弾力性があるので、ずれが生じないように働くので、プラグ１１１とプラグ摘み部１１６との連結が損傷することが少ない。
一方、第１実施例のようにプラグ摘み部１１６がプラグ１１１と一体成型されて固定されている構造であるなら、プラグ１１１を前記収納凹部１１５に挿脱するなら、収納凹部１１５の穴（凹部）の方向と、プラグ１１１の方向がずれるなら、使用者等により、力を強めて挿脱（特に、プラグ摘み部１１６を引っ張って、抜くとき）されることになるので、プラグ１１１とプラグ摘み部１１６との連結が損傷することがある。
更に、図２３〜２５には、本発明の第４実施例を、示す。上述の実施例と同じ構造については、同じ符号を付し、説明を省略する。
本実施例においては、図２５に示すように、プラグ摘み部の延在方向と、前記プラグの延在方向とが成す角度（図２５のＡの角度）が、直角より小さい角度（３０〜６０°の範囲、例えば、４５°）である。これにより、電子機器に接続するとき、電子機器側のプラグ穴のカバー、プラグ穴周辺の構造体が邪魔になることが少なく、適切に、プラグを電子
機器側のプラグ穴に挿入することができる。仮に上記成す角度が直角（上記第1実施例）であるなら、プラグ１１１を電子機器側のプラグ穴を覆うカバーが外され電子機器に連結されたままで、プラグが挿入されることになり、プラグ摘み部１１６とカバー（或いは、電子機器側のプラグ穴周辺の構造体）と接触する等して、適切に、プラグを電子機器側のプラグ穴に挿入することが困難になる。
【符号の説明】
【００４１】
５      電源コネクタ
１００  携帯式電源本体
１１０  収納アタッチメント
１１１  プラグ
１１２  コード
１１３  プラグ
１１４  溝
１１５  収納凹部
１１６  プラグ摘み部
１１７  連通部
１１８  穴
１１９  印
１２１  段部
【図１】
2014212678.tif 000003
【図２】
2014212678.tif 000004
【図３】
2014212678.tif 000005
【図４】
2014212678.tif 000006
【図５】
2014212678.tif 000007
【図６】
2014212678.tif 000008
【図７】
2014212678.tif 000009
【図８】
2014212678.tif 000010
【図９】
2014212678.tif 000011
【図１０】
2014212678.tif 000012
【図１１】
2014212678.tif 000013
【図１２】
2014212678.tif 000014
【図１３】
2014212678.tif 000015
【図１４】
2014212678.tif 000016
【図１５】
2014212678.tif 000017
【図１６】
2014212678.tif 000018
【図１７】
2014212678.tif 000019
【図１８】
2014212678.tif 000020
【図１９】
2014212678.tif 000021
【図２０】
2014212678.tif 000022
【図２１】
2014212678.tif 000023
【図２２】
2014212678.tif 000024
【図２３】
2014212678.tif 000025
【図２４】
2014212678.tif 000026
【図２５】
2014212678.tif 000027